(57)【要約】【課題】複数の建物ユニットのうちの一部の建物ユニットの上にのみ小屋パネルを設置する場合であっても、屋根束の取付け位置を変更する必要がなくなりコストアップを抑制する。【解決手段】複数の建物ユニットを組み合わせてなる建物本体と、この上部に設けられる屋根とを備えるユニット式建物の小屋裏構造において、建物本体の最上階を構成する複数の建物ユニットのうち一部の建物ユニットの上面が、矩形枠状に形成された小屋パネル３の設置エリアとされ、小屋パネルには、当該小屋パネルが設置されない非設置エリアに隣接する第１梁（例えば、長小屋梁３１１ａ）の外側面に、屋根束を支持するためのブラケット７が取り付けられ、屋根束は、第１梁とブラケットに跨がって取り付けられ、第１梁のうちブラケットが位置する部位と、当該第１梁と対向する第２梁（例えば、長小屋梁３１１ｂ）との間に引張梁（例えば、中間梁３３）が架け渡されている。【選択図】図２
2014224359.tif 000002
【特許請求の範囲】
【請求項１】
略直方体フレーム状に形成された複数の建物ユニットを組み合わせてなる建物本体と、当該建物本体の上部に設けられる屋根とを備えるユニット式建物の小屋裏構造において、
前記建物本体の最上階を構成する複数の建物ユニットのうち一部の建物ユニットの上面が、複数本の梁によって矩形枠状に形成された小屋パネルの設置エリアとされ、
前記設置エリアに設置された小屋パネルには、当該小屋パネルが設置されない非設置エリアに隣接する第１梁の外側面に、屋根束を支持するためのブラケットが取り付けられ、
前記屋根束は、前記第１梁と前記ブラケットに跨がって取り付けられ、
前記第１梁のうち前記ブラケットが位置する部位と、当該第１梁と対向する第２梁との間に引張梁が架け渡されていることを特徴とするユニット式建物の小屋裏構造。
【請求項２】
請求項１に記載のユニット式建物の小屋裏構造において、
前記小屋パネルは前記設置エリアに複数隣り合って配置され、
隣り合う一方の前記小屋パネルの前記第１梁の端部と、他方の前記小屋パネルの前記第１梁の端部とが隣り合って配置され、
前記ブラケットは、隣り合う一方の前記第１梁の端部と、他方の前記第１梁の端部にそれぞれ設けられ、
前記屋根束は、前記隣り合う第１梁同士と、双方の前記ブラケットに跨がって取り付けられていることを特徴とするユニット式建物の小屋裏構造。
【請求項３】
前記ブラケットは、前記小屋パネルの隅部に配置されるようにして前記第１梁に取り付けられていることを特徴とする請求項１又は２に記載のユニット式建物の小屋裏構造。
【請求項４】
請求項１〜３のいずれか一項に記載のユニット式建物の小屋裏構造において、
前記引張梁は、前記第１梁の中間部と前記第２梁の中間部との間に架け渡され、
前記小屋パネルを形成する梁と前記引張梁とがなす領域の対角線上にブレースが配設されていることを特徴とするユニット式建物の小屋裏構造。
【請求項５】
請求項１〜４のいずれか一項に記載のユニット式建物の小屋裏構造において、
前記小屋パネルは、前記建物ユニットの上面に対する高さ方向の位置を調節自在な調節機構を介して前記建物ユニットに取り付けられ、
前記調節機構は、前記小屋パネルの高さ方向の位置を、前記建物ユニットの上面に対して前記小屋パネルの下面を相対的に遠ざけた第１の高さ位置と、前記建物ユニットの上面に対して前記小屋パネルの下面を相対的に近付けて前記第１の高さ位置よりも低い第２の高さ位置とに調節自在に構成されていることを特徴とするユニット式建物の小屋裏構造。
【請求項６】
略直方体フレーム状に形成された複数の建物ユニットを組み合わせてなる建物本体のうち、一部の建物ユニットの上面に設置される小屋パネルであって、
複数本の梁によって矩形枠状に形成されており、
前記複数本の梁のうちの第１梁の外側面に設けられ、屋根束を支持するためのブラケットと、
前記第１梁のうち前記ブラケットが位置する部位と、当該第１梁と対向する第２梁との間に架け渡された引張梁と、を備え、
前記屋根束を前記第１梁と前記ブラケットに跨るようにして取り付け自在に構成されていることを特徴とする小屋パネル。
【発明の詳細な説明】
【技術分野】
【０００１】
本発明は、ユニット式建物の小屋裏構造及び小屋パネルに関する。
【背景技術】
【０００２】
従来、複数の建物ユニットが組み合わされた建物本体の上に屋根束を介して複数の屋根パネルが支持されたユニット式建物が知られている（例えば、特許文献１、特許文献２参照）。
また、上階と屋根の間に小屋裏空間が設けられたユニット式建物もあり、このユニット式建物では、小屋裏空間に収納室等のための床が形成され、この床の荷重を上階の建物ユニットの柱に伝達させるように、上階を構成する全ての建物ユニットの上に小屋パネルが設置され、当該小屋パネルの上に屋根パネルを支持する屋根束が立設されている。屋根束は、一般的に、隣合う小屋パネルの梁どうしに跨がるように立設される。
【先行技術文献】
【特許文献】
【０００３】
【特許文献１】特開２００９−２１５８号公報
【特許文献２】特開２０１０−１７４５１２号公報
【発明の概要】
【発明が解決しようとする課題】
【０００４】
ところで、上階を構成する複数の建物ユニットの上の小屋裏空間が形成されない領域まで小屋パネルを設けることは無駄であり、小屋裏空間に対応させて必要な所定数の建物ユニットの上にのみ小屋パネルを設置することにより、コストダウンを図る手法が考えられる。
しかしながら、上階を構成する複数の建物ユニットのうち、一部の建物ユニットの上にのみ小屋パネルを設置すると、当該小屋パネルの上面と小屋パネルが設置されていない建物ユニットの上面との高さがずれるため、そのままでは屋根束を立設することができないといった問題が生じる。ここで、屋根束が小屋パネルの上面にのみ立設されるように当該屋根束の取付け位置を変更すると、上階を構成する全ての建物ユニットの上に小屋パネルが設置された場合や小屋パネルが全く設置されていない場合との間で屋根束の取付け位置を共通にすることができなくなってしまう。結果として、コストアップに繋がるといった問題も生じる。
【０００５】
そこで、本発明の課題は、複数の建物ユニットのうちの一部の建物ユニットの上にのみ小屋パネルを設置する場合であっても、屋根束の取付け位置を変更する必要がなくなりコストアップを抑制することができるユニット式建物の小屋裏構造及び小屋パネルを提供することである。
【課題を解決するための手段】
【０００６】
上記課題を解決するため、請求項１に記載の発明は、
略直方体フレーム状に形成された複数の建物ユニット１１、２１を組み合わせてなる建物本体１００Ａと、当該建物本体１００Ａの上部に設けられる屋根５とを備えるユニット式建物１００の小屋裏構造において、
前記建物本体１００Ａの最上階を構成する複数の建物ユニット２１、…のうち一部の建物ユニットの上面が、複数本の梁（例えば、小屋梁３１１）によって矩形枠状に形成された小屋パネル３（例えば、短小屋パネル３１）の設置エリアＡとされ、
前記設置エリアＡに設置された小屋パネル３（例えば、短小屋パネル３１）には、当該小屋パネル３が設置されない非設置エリアＢに隣接する第１梁（例えば、長小屋梁３１１ａ）の外側面に、屋根束４を支持するためのブラケット７が取り付けられ、
前記屋根束４は、前記第１梁（例えば、長小屋梁３１１ａ）と前記ブラケット７に跨がって取り付けられ、
前記第１梁のうち前記ブラケット７が位置する部位と、当該第１梁と対向する第２梁（例えば、長小屋梁３１１ｂ）との間に引張梁（例えば、中間梁３３）が架け渡されていることを特徴とする。
【０００７】
請求項１に記載の発明によれば、小屋パネル３（例えば、短小屋パネル３１）には、当該小屋パネル３が設置されない非設置エリアＢに隣接する第１梁（例えば、長小屋梁３１１ａ）の外側面に、屋根束４を支持するためのブラケット７が取り付けられ、屋根束４は、第１梁とブラケット７に跨がって取り付けられているので、複数の建物ユニット２１、…のうちの一部の建物ユニット２１の上に小屋パネル３が設置された構造であっても、屋根束４の取付け位置を全ての建物ユニット２１の上に小屋パネル３が設置された場合や小屋パネル３が全く設置されていない場合に対応する取付け位置から変更する必要がなくなる。
また、第１梁（例えば、長小屋梁３１１ａ）のうちブラケット７が位置する部位と、当該第１梁と対向する第２梁（例えば、長小屋梁３１１ｂ）との間に引張梁（例えば、中間梁３３）が架け渡されているので、引張梁の引張力により屋根束４が非設置エリアＢの建物ユニット２１側に傾いたり小屋パネル３が変形するのを抑制することができる。
このように、複数の建物ユニット２１、…のうちの一部の建物ユニット２１の上に小屋パネル３が設置されたものに対する屋根束４の取付け位置と、最上階を構成する全ての建物ユニット２１の上に小屋パネル３が設置された場合や小屋パネル３が全く設置されていない場合に対する屋根束４の取付け位置とを共通にすることができ、コストアップを抑制することができる。
【０００８】
請求項２に記載の発明は、請求項１に記載のユニット式建物１００の小屋裏構造において、
前記小屋パネル３は前記設置エリアＡに複数隣り合って配置され、
隣り合う一方の前記小屋パネル（例えば、短小屋パネル３１）の前記第１梁（例えば、長小屋梁３１１ａ）の端部と、他方の前記小屋パネル（例えば、長小屋パネル３２）の前記第１梁（例えば、長小屋梁３２１ａ）の端部とが隣り合って配置され、
前記ブラケット７（例えば、中央側ブラケット７２）は、隣り合う一方の前記第１梁の端部と、他方の前記第１梁の端部にそれぞれ設けられ、
前記屋根束４は、前記隣り合う第１梁同士と、双方の前記ブラケットに跨がって取り付けられていることを特徴とする。
【０００９】
請求項２に記載の発明によれば、請求項１に記載の発明と同様の効果が得られるのは無論のこと、特に、小屋パネル３は設置エリアＡに複数隣り合って配置され、ブラケット７（例えば、中央側ブラケット７２）は、隣り合う一方の小屋パネル（例えば、短小屋パネル３１）の第１梁（例えば、長小屋梁３１１ａ）の端部と、他方の小屋パネル（例えば、長小屋パネル３２）の第１梁（例えば、長小屋梁３２１ａ）の端部にそれぞれ設けられ、屋根束４は、隣り合う第１梁同士と、双方のブラケット７に跨がって取り付けられているので、隣合う小屋パネル３の各々の第１梁（例えば、長小屋梁３１１ａ、長小屋梁３２１ａ）の端部どうしの上面及び双方のブラケット７（例えば、中央側ブラケット７２）の上面に載置させるように屋根束４（例えば、中央側屋根束４２）を取り付けることができる。また、例えば、隣合う建物ユニット２１、２１間に補強梁ＳＢが設けられた構造に対しても、これら建物ユニット２１の上に設置された隣合う小屋パネル３の各々の第１梁（例えば、長小屋梁３１１ａ、長小屋梁３２１ａ）の端部どうしの上面に跨がり、且つ、双方のブラケット７（例えば、中央側ブラケット７２）の上面に跨がるように屋根束４（例えば、中央側屋根束４２）を適正に取り付けることができる。
【００１０】
請求項３に記載の発明は、請求項１又は２に記載のユニット式建物１００の小屋裏構造において、
前記ブラケット７（例えば、外壁側ブラケット７３）は、前記小屋パネル３の隅部に配置されるようにして前記第１梁（例えば、長小屋梁３１１ａ）に取り付けられていることを特徴とする。
【００１１】
請求項３に記載の発明によれば、請求項１又は２に記載の発明と同様の効果が得られるのは無論のこと、特に、小屋パネル３の隅部に配置されるようにして第１梁（例えば、長小屋梁３１１ａ）に取り付けられているブラケット７（例えば、外壁側ブラケット７３）に屋根束４（例えば、外壁側屋根束４３）を適正に取り付けることができる。
【００１２】
請求項４に記載の発明は、請求項１〜３の何れか一項に記載のユニット式建物１００の小屋裏構造において、
前記引張梁（例えば、中間梁３３）は、前記第１梁（例えば、長小屋梁３１１ａ）の中間部と前記第２梁（例えば、長小屋梁３１１ｂ）の中間部との間に架け渡され、
前記小屋パネル３（例えば、短小屋パネル３１）を形成する梁（小屋梁３１１）と前記引張梁とがなす領域の対角線上にブレース３４が配設されていることを特徴とする。
【００１３】
請求項４に記載の発明によれば、請求項１〜３の何れか一項に記載の発明と同様の効果が得られるのは無論のこと、特に、引張梁（例えば、中間梁３３）は、第１梁（例えば、長小屋梁３１１ａ）の中間部と第２梁（例えば、長小屋梁３１１ｂ）の中間部との間に架け渡され、小屋パネル３（例えば、短小屋パネル３１）を形成する梁（小屋梁３１１）と引張梁とがなす領域の対角線上にブレース３４が配設されているので、ブレース３４の引張力により小屋パネル３の変形を抑制することができる。
【００１４】
請求項５に記載の発明は、請求項１〜４の何れか一項に記載のユニット式建物１００の小屋裏構造において、
前記小屋パネル３は、前記建物ユニット２１の上面に対する高さ方向の位置を調節自在な調節機構９を介して前記建物ユニット２１に取付けられ、
前記調節機構９は、前記小屋パネル３の高さ方向の位置を、前記建物ユニット２１の上面に対して前記小屋パネル３の下面を相対的に遠ざけた第１の高さ位置と、前記建物ユニット２１の上面に対して前記小屋パネル３の下面を相対的に近付けて前記第１の高さ位置よりも低い第２の高さ位置とに調節自在に構成されていることを特徴とする。
【００１５】
請求項５に記載の発明によれば、請求項１〜４の何れか一項に記載の発明と同様の効果が得られるのは無論のこと、特に、小屋パネル３の建物ユニット２１の上面に対する高さ方向の位置を調節自在な調節機構９は、小屋パネル３の高さ方向の位置を、建物ユニット２１の上面に対して小屋パネル３の下面を相対的に遠ざけた第１の高さ位置と、建物ユニット２１の上面に対して小屋パネル３の下面を相対的に近付けて第１の高さ位置よりも低い第２の高さ位置とに調節自在に構成されているので、小屋パネル３の高さ方向の位置を第１の高さ位置よりも低い第２の高さ位置に調節した状態での建物ユニット２１及び小屋パネル３の同便での輸送を実現することができる。すなわち、建物ユニット２１の上面に対して小屋パネル３の下面を相対的に近付けて建物ユニット２１の下面から小屋パネル３の上面までの高さを低くすることにより、建物ユニット２１の下面から小屋パネル３の上面までの高さが輸送上の高さ制限を超えないようにすることができ、これにより、建物ユニット２１及び小屋パネル３を同便で輸送することができ、輸送コストの削減を図ることができる。
【００１６】
請求項６に記載の発明は、
略直方体フレーム状に形成された複数の建物ユニット１１、２１を組み合わせてなる建物本体１００Ａのうち、一部の建物ユニット１００Ａの上面に設置される小屋パネル３（例えば、短小屋パネル３１）であって、
複数本の梁（例えば、小屋梁３１１）によって矩形枠状に形成されており、
前記複数本の梁のうちの第１梁（例えば、長小屋梁３１１ａ）の外側面に設けられ、屋根束４を支持するためのブラケット７と、
前記第１梁のうち前記ブラケット７が位置する部位と、当該第１梁と対向する第２梁（例えば、長小屋梁３１１ｂ）との間に架け渡された引張梁（例えば、中間梁３３）と、を備え、
前記屋根束４を前記第１梁と前記ブラケット７に跨るようにして取り付け自在に構成されていることを特徴とする。
【００１７】
請求項６に記載の発明によれば、一部の建物ユニット１００Ａの上面に設置される小屋パネル３（例えば、短小屋パネル３１）には、第１梁（例えば、長小屋梁３１１ａ）の外側面に、屋根束４を支持するためのブラケット７が備えられ、屋根束４を第１梁とブラケット７に跨るようにして取り付け自在に構成されているので、複数の建物ユニット２１、…のうちの一部の建物ユニット２１の上に小屋パネル３が設置された構造であっても、屋根束４の取付け位置を全ての建物ユニット２１の上に小屋パネル３が設置された場合や小屋パネル３が全く設置されていない場合に対応する取付け位置から変更する必要がなくなる。
また、第１梁（例えば、長小屋梁３１１ａ）のうちブラケット７が位置する部位と、当該第１梁と対向する第２梁（例えば、長小屋梁３１１ｂ）との間に架け渡された引張梁（例えば、中間梁３３）が備えられているので、引張梁の引張力により屋根束４が小屋パネルが設置されていない建物ユニット２１側に傾いたり小屋パネル３が変形するのを抑制することができる。
このように、複数の建物ユニット２１、…のうちの一部の建物ユニット２１の上に小屋パネル３が設置されたものに対する屋根束４の取付け位置と、全ての建物ユニット２１の上に小屋パネル３が設置された場合や小屋パネル３が全く設置されていない場合に対する屋根束４の取付け位置とを共通にすることができ、コストアップを抑制することができる。
【発明の効果】
【００１８】
本発明によれば、複数の建物ユニットのうちの一部の建物ユニットの上にのみ小屋パネルを設置する場合であっても、屋根束の取付け位置を変更する必要がなくなりコストアップを抑制することができる。
【図面の簡単な説明】
【００１９】
【図１】本発明のユニット式建物の小屋裏構造を適用した一実施形態のユニット式建物を概略的に示す斜視図である。
【図２】図１のユニット式建物を構成する小屋パネルを示す平面図である。
【図３】図２の小屋パネルの破線Ａで囲まれた部分を示す図である。
【図４】図２の小屋パネルの破線Ａで囲まれた部分であって、屋根束が取り付けられた状態を示す図である。
【図５】図２の小屋パネルの破線Ｂで囲まれた部分を示す図である。
【図６】図２の小屋パネルの破線Ｂで囲まれた部分であって、補強梁が取り付けられた状態を示す図である。
【図７】図２の小屋パネルの破線Ｃで囲まれた部分を示す図である。
【図８】図１のユニット式建物に適用される調節機構を概略的に示す図である。
【発明を実施するための形態】
【００２０】
以下、図面を参照して本発明の実施の形態について説明する。
図１は、本実施形態のユニット式建物１００を概略的に示す斜視図である。
【００２１】
本実施形態のユニット式建物１００は、本発明のユニット式建物の小屋裏構造を適用したものである。具体的には、図１に示すように、ユニット式建物１００は、基礎（図示略）の上に設けられた下階部１と、この下階部１の上に設けられた上階部２と、この上階部２の上に設けられた小屋パネル３と、小屋パネル３の上に屋根束４を介して配設された屋根５とを備え、屋根５と小屋パネル３との間に小屋裏空間６が形成されている。
【００２２】
下階部１及び上階部２の各々は、略直方体フレーム状に形成された複数の建物ユニット１１、２１を組み合わせて構成され、これら下階部１及び上階部２が建物本体１００Ａを構成している。
また、建物本体１００Ａの最上階である上階部２を構成する複数の建物ユニット２１、…のうち一部の建物ユニット２１（図１における左手前側から右奥側に向かう方向の中央側の２つの建物ユニット２１、２１）の上面が、小屋パネル３の設置エリアＡとされている。なお、上階部２を構成する複数の建物ユニット２１、…のうち、小屋パネル３が設置されない建物ユニット２１の上面により、非設置エリアＢが構成されている。
【００２３】
下階部１は、複数（例えば、６つ）の略直方体フレーム状の建物ユニット１１、…を有し、これら建物ユニット１１が基礎の上に並べられて水平方向に連結されている。
具体的には、下階部１は、互いの長辺どうしを対向させて所定の一方向（例えば、図１における左手前側から右奥側に向かう方向）に隣接させた３つの短建物ユニット１１１、…と、短建物ユニット１１１、…の長辺よりも相対的に長い長辺を有し、互いの長辺どうしを対向させて所定の一方向に隣接させた３つの長建物ユニット１１２、…とを有している。そして、３つの短建物ユニット１１１、…と３つの長建物ユニット１１２、…とが、所定の一方向に略直交する方向（図１における右手前側から左奥側に向かう方向）に短辺どうしを対向させるように隣接させて配置されている。
【００２４】
上階部２は、複数（例えば、６つ）の略直方体フレーム状の建物ユニット２１、…を有し、これら建物ユニット２１が下階部１の建物ユニット１１の上に並べられて水平方向に連結されている。
また、上階部２は、下階部１と略同様の構成をなし、３つの短建物ユニット２１１、…と３つの長建物ユニット２１２、…とを有している。そして、３つの短建物ユニット２１１、…と３つの長建物ユニット２１２、…とが、所定の一方向に略直交する方向に短辺どうしを対向させるように隣接させて配置されている。
また、上階部２を構成する６つの建物ユニット２１、…のうち、一部の建物ユニット２１の上面の設置エリアＡに小屋パネル３が複数隣り合って配置されている。具体的には、図１における左手前側から右奥側に向かう方向の中央側の２つの建物ユニット２１、２１、すなわち、３つのうちの真ん中の短建物ユニット２１１及び長建物ユニット２１２の上に、小屋パネル３がそれぞれ設置されている。
【００２５】
なお、下階部１及び上階部２を長辺の長さ寸法が異なる短建物ユニット１１１、２１１及び長建物ユニット１１２、２１２の２種類で構成するようにしたが、一例であってこれに限られるものではなく、例えば、１種類の建物ユニット１１、２１から構成されても良いし、長辺や短辺の長さ寸法が異なる３種類以上の建物ユニット１１、２１から構成されても良い。
【００２６】
図２は、ユニット式建物１００を構成する小屋パネル３を示す平面図である。
図２に示すように、小屋パネル３は、短建物ユニット２１１の上に設置される短小屋パネル３１と、長建物ユニット２１２の上に設置される長小屋パネル３２とを有している。
【００２７】
短小屋パネル３１は、略等しい長さの一対の長小屋梁３１１ａ、３１１ｂと略等しい長さの一対の短小屋梁３１１ｃ、３１１ｄからなる４つの小屋梁３１１、…を有し、一対の長小屋梁３１１ａ、３１１ｂを対向させるとともに一対の短小屋梁３１１ｃ、３１１ｄを対向させるように矩形枠状に組み合わせて構成されている。また、短小屋パネル３１は、平面視形状が短建物ユニット２１１と略等しく形成され、４つの小屋梁３１１、…と短建物ユニット２１１の対応する４つの天井梁２１１ａ、…とが上下にほぼ重なるように短建物ユニット２１１の上に設置されている。
【００２８】
長小屋パネル３２は、略等しい長さの一対の長小屋梁３２１ａ、３２１ｂと略等しい長さの一対の短小屋梁３２１ｃ、３２１ｄからなる４つの小屋梁３２１、…を有し、一対の長小屋梁３２１ａ、３２１ｂを対向させるとともに一対の短小屋梁３２１ｃ、３２１ｄを対向させるように矩形枠状に組み合わせて構成されている。また、長小屋パネル３２は、平面視形状が長建物ユニット２１２と略等しく形成され、４つの小屋梁３２１、…と長建物ユニット２１２の対応する４つの天井梁２１２ａ、…とが上下にほぼ重なるように長建物ユニット２１２の上に設置されている。
【００２９】
また、短小屋パネル３１及び長小屋パネル３２には、小屋パネル３が設置されない非設置エリアＢに隣接する長小屋梁（第１梁）３１１ａ、３１１ｂ、３２１ａ、３２１ｂの外側面（非設置エリアＢ側の面）に、屋根束４を支持するためのブラケット７が取り付けられている。
具体的には、一対の長小屋梁３１１ａ、３１１ｂ、３２１ａ、３２１ｂの各々の中間部に中間ブラケット７１が設けられ（図３（ａ）及び図３（ｂ）参照）、隣合う小屋パネル３（例えば、短小屋パネル３１のブラケット７の場合には、長小屋パネル３２）側の端部に中央側ブラケット７２が設けられ（図５（ａ）及び図５（ｂ）参照）、ユニット式建物１００の外壁側の端部に外壁側ブラケット７３が設けられている（図７（ａ）及び図７（ｂ）参照）。
【００３０】
ここで、中間ブラケット７１について、図３（ａ）及び図３（ｂ）並びに図４（ａ）及び図４（ｂ）を参照して詳細に説明する。
図３（ａ）は、図２の小屋パネル３の破線Ａで囲まれた部分を示す平面図であり、図３（ｂ）は、中間ブラケット７１に中間屋根束４１が取り付けられた状態を示す平面図である。また、図４（ａ）は、図３（ｂ）を矢印Ａ方向に視て示す側面図であり、図４（ｂ）は、図３（ｂ）を矢印Ｂ方向に視て示す側面図である。
【００３１】
図３（ａ）等に示すように、短小屋パネル３１の中間ブラケット７１は、非設置エリアＢに隣接する一対の長小屋梁３１１ａ、３１１ｂの各々の中間部の外側面に、所定の締結手段（例えば、ボルト８１１ａ及びナット８１１ｂ）により締結されている。
具体的には、中間ブラケット７１は、長小屋梁３１１ａ（３１１ｂ）の外側面に取付けられる取付面部７１１と、中間屋根束４１を支持する支持面部７１２と、補強用フレーム部７１３とを備えて構成されている。
【００３２】
取付面部７１１は、例えば、上下方向に沿って形成された略矩形状の板状をなし、４つの隅部の各々にボルト８１１ａが挿通される取付用通し孔７１１ａが形成されている（図４（ｂ）参照）。なお、図４（ｂ）にあっては、ボルト８１１ａの図示を省略している。
一方、短小屋パネル３１の長小屋梁３１１ａ（３１１ｂ）の中間部の外側面にも、ボルト８１１ａが挿通される通し孔（図示略）が４つ形成されている。
そして、取付面部７１１の４つの取付用通し孔７１１ａ、…が長小屋梁３１１ａの対応する４つの通し孔にそれぞれ重ね合わされ、ボルト８１１ａが取付用通し孔７１１ａ及び通し孔にそれぞれ通されて当該ボルト８１１ａにナット８１１ｂがそれぞれ螺合する。このようにして、長小屋梁３１１ａの外側面に中間ブラケット７１が締結されている（図４（ａ）参照）。なお、中間ブラケット７１の長小屋梁３１１ａの外側面に対する締結は、工場で行われても良いし、建築現場にて行われても良い。
また、取付面部７１１の上端に連続して支持面部７１２が形成されている。
【００３３】
支持面部７１２は、取付面部７１１の上端から当該中間ブラケット７１が取り付けられる短小屋パネル３１の外側、すなわち、短小屋パネル３１が設置されない短建物ユニット２１１側に略水平に突出するように取付面部７１１の上端に連結されている（図４（ａ）参照）。また、支持面部７１２の上面の高さ位置は、当該中間ブラケット７１が取り付けられる長小屋梁３１１ａの上端面の高さ位置と略等しくなっている。
【００３４】
また、支持面部７１２は、水平方向に沿って形成された略矩形状の板状をなし、先端（自由端）側の２つの隅部の各々にボルト８１２ａ（図４（ａ）参照）が挿通される束用通し孔７１２ａが形成されている（図３（ａ）参照）。
一方、短小屋パネル３１の長小屋梁３１１ａ（３１１ｂ）の上端面にも、ボルト８１２ａが挿通される束用通し孔３１１ｅが２つ形成されている。また、中間屋根束４１の下端のベース部４１１にもボルト８１２ａが挿通される通し孔４１１ａが４つ形成されている。
そして、中間屋根束４１のベース部４１１の４つの通し孔４１１ａ、…が支持面部７１２の２つの束用通し孔７１２ａ、７１２ａ及び長小屋梁３１１ａの２つの束用通し孔３１１ｅ、３１１ｅにそれぞれ重ね合わされ、ボルト８１２ａがベース部４１１の通し孔４１１ａ及び支持面部７１２の束用通し孔７１２ａにそれぞれ通されて当該ボルト８１２ａにナット８１２ｂがそれぞれ螺合するとともに、ボルト８１２ａがベース部４１１の通し孔４１１ａ及び長小屋梁３１１ａの束用通し孔３１１ｅにそれぞれ通されて当該ボルト８１２ａにナット８１２ｂがそれぞれ螺合する。このようにして、中間屋根束４１が中間ブラケット７１の支持面部７１２の上面及び長小屋梁３１１ａの上端面に跨がるように締結されている（図３（ｂ）及び図４（ａ）参照）。
かかる状態にて、当該中間ブラケット７１が取り付けられる短小屋パネル３１が配置された短建物ユニット２１１と、この短建物ユニット２１１と隣合う短小屋パネル３１が設置されない短建物ユニット２１１との間隔の略中心に、中間屋根束４の本体４１２の中心がほぼ重なった状態となる。
【００３５】
補強用フレーム部７１３は、取付面部７１１の外面と支持面部７１２の底面とを連結する板状をなし、取付面部７１１及び支持面部７１２の各々に略直交するように配置されている（図４（ａ）参照）。また、補強用フレーム部７１３は、長小屋梁３１１ａ（３１１ｂ）の長手方向に所定の間隔を空けて２つ配設されている。
【００３６】
また、短小屋パネル３１の一対の長小屋梁３１１ａ、３１１ｂの中間ブラケット７１と反対側、すなわち、短小屋パネル３１が設置されない短建物ユニット２１１と反対側に、中間梁３３が設けられている。つまり、長小屋梁（第１梁）３１１ａのうち中間ブラケット７１が位置する部位と、当該長小屋梁３１１ａと対向する長小屋梁（第２梁）３１１ｂとの間に中間梁（引張梁）３３が架け渡されている。
中間梁３３は、一対の短小屋梁３１１ｃ、３１１ｄと略等しい方向に延在する長尺な部材であり、対向する一対の長小屋梁（第１梁、第２梁）３１１ａ、３１１ｂの各々の中間部どうしに架け渡されている。すなわち、中間梁３３の長手方向の両端部の各々に、ボルト８１３ａが挿通される取付用通し孔（図示略）が２つ形成されている（図４（ａ）参照）。
一方、一対の長小屋梁３１１ａ、３１１ｂの各々の中間ブラケット７１と反対側には、ボルト８１３ａが挿通される通し孔（図示略）が２つ形成されている。
そして、中間梁３３の各端部にて、２つの取付用通し孔が各長小屋梁３１１ａ、３１１ｂの対応する２つの通し孔にそれぞれ重ね合わされ、ボルト８１３ａが各長小屋梁３１１ａ、３１１ｂの通し孔及び取付用通し孔にそれぞれ通されて当該ボルト８１３ａにナット８１３ｂがそれぞれ螺合する。このようにして、一対の長小屋梁３１１ａ、３１１ｂの内側面に中間梁３３が締結されている（図４（ａ）等参照）。
【００３７】
また、長小屋パネル３２にも、上記した短小屋パネル３１の中間ブラケット７１及び中間梁３３と略同等の構成のものが設けられているが、その詳細な説明は省略する。
【００３８】
次に、中央側ブラケット７２について、図５（ａ）及び図５（ｂ）並びに図６（ａ）及び図６（ｂ）を参照して詳細に説明する。
図５（ａ）は、図２の小屋パネル３の破線Ｂで囲まれた部分を示す平面図であり、図５（ｂ）は、図５（ａ）の中央側ブラケット７２に中央側屋根束４２が取り付けられた状態を矢印Ｃ方向に視て示す側面図である。また、図６（ａ）は、図２の小屋パネル３の破線Ｂで囲まれた部分であって、補強梁ＳＢが取り付けられた状態を示す平面図であり、図６（ｂ）は、図６（ａ）の中央側ブラケット７２に中央側屋根束４２が取り付けられた状態を矢印Ｄ方向に視て示す側面図である。
【００３９】
図５（ａ）等に示すように、隣り合う短小屋パネル３１及び長小屋パネル３２のうち、短小屋パネル（一方の小屋パネル）３１の長小屋梁（第１梁）３１１ａ、３１１ｂの端部と、長小屋パネル（他方の小屋パネル）３２の長小屋梁（第１梁）３２１ａ、３２１ｂの端部とが隣り合って配置されている。そして、中央側ブラケット７２は、短小屋パネル３１の長小屋梁３１１ａ、３１１ｂの端部と、長小屋パネル３２の長小屋梁３２１ａ、３２１ｂの端部にそれぞれ設けられている。
すなわち、短小屋パネル３１の中央側ブラケット７２は、非設置エリアＢに隣接する一対の長小屋梁３１１ａ、３１１ｂの各々の長小屋パネル３２側の端部の外側面に、長小屋パネル３２の中央側ブラケット７２は、非設置エリアＢに隣接する一対の長小屋梁３２１ａ、３２１ｂの各々の短小屋パネル３１側の端部の外側面に、所定の締結手段（例えば、ボルト８１４ａ及びナット）によりそれぞれ締結されている。
【００４０】
短小屋パネル３１の中央側ブラケット７２は、具体的には、長小屋梁３１１ａ（３１１ｂ）の外側面に取付けられる取付面部７２１と、中央側屋根束４２を支持する支持面部７２２と、補強用フレーム部７２３とを備えて構成されている。
【００４１】
取付面部７２１は、例えば、上下方向に沿って形成された略矩形状の板状をなし、上下方向に所定の間隔を空けてボルト８１４ａ（図６（ｂ）参照）が挿通される取付用通し孔７２１ａが２つ形成されている（図５（ｂ）参照）。なお、図５（ｂ）にあっては、ボルト８１４ａの図示を省略している。
一方、短小屋パネル３１の長小屋梁３１１ａ（３１１ｂ）の長小屋パネル３２側の端部の外側面にも、ボルト８１４ａが挿通される通し孔（図示略）が２つ形成されている。
そして、取付面部７２１の２つの取付用通し孔７２１ａ、７２１ａが長小屋梁３１１ａの対応する２つの通し孔にそれぞれ重ね合わされ、ボルト８１４ａが取付用通し孔７２１ａ及び通し孔にそれぞれ通されて当該ボルト８１４ａにナット（図示略）がそれぞれ螺合する。このようにして、短小屋パネル３１の長小屋梁３１１ａの外側面に中央側ブラケット７２が締結されている（図５（ｂ）参照）。なお、中央側ブラケット７２の長小屋梁３１１ａの外側面に対する締結は、工場で行われても良いし、建築現場にて行われても良い。
また、取付面部７２１の上端に連続して支持面部７２２が形成されている。
【００４２】
支持面部７２２は、取付面部７２１の上端から当該中央側ブラケット７２が取り付けられる短小屋パネル３１の外側、すなわち、短小屋パネル３１が設置されない短建物ユニット２１１側に略水平に突出するように取付面部７２１の上端に連結されている（図５（ａ）参照）。また、支持面部７２２の上面の高さ位置は、当該中央側ブラケット７２が取り付けられる長小屋梁３１１ａ（３１１ｂ）の上端面の高さ位置と略等しくなっている。
【００４３】
また、支持面部７２２は、水平方向に沿って形成された略矩形状の板状をなし、先端（自由端）部にボルト８１５ａが挿通される束用通し孔７２２ａが形成されている（図５（ａ）参照）。
一方、短小屋パネル３１の長小屋梁３１１ａ（３１１ｂ）の上端面にも、ボルト８１５ａが挿通される束用通し孔３１１ｆが形成されている。
【００４４】
補強用フレーム部７２３は、取付面部７２１及び支持面部７２２の長小屋パネル３２側にて取付面部７２１の外面と支持面部７２２の底面とを連結する板状をなし、取付面部７２１及び支持面部７２２の各々に略直交するように配置されている（図５（ｂ）参照）。また、補強用フレーム部７２３は、長小屋梁３１１ａ（３１１ｂ）の長手方向の端部及び短小屋梁３１１ｃと略面一となるように配設されている。
【００４５】
なお、短小屋パネル３１の長小屋パネル３２側の短小屋梁３１１ｃは、短小屋パネル３１が設置されない短建物ユニット２１１と反対側にて一対の長小屋梁３１１ａ、３１１ｂに架け渡されるように設けられた引張梁を構成している。
【００４６】
長小屋パネル３２の中央側ブラケット７２は、短小屋パネル３１の中央側ブラケット７２に対して、長小屋パネル３２及び短小屋パネル３１の水平方向略中間部を上下方向に沿って通る面を基準として略対称となるように構成されている。
具体的には、長小屋パネル３２の中央側ブラケット７２は、短小屋パネル３１の中央側ブラケット７２と略同様の構成をなし、長小屋梁３２１ａ（３２１ｂ）の外側面に取付けられる取付面部７２１と、中央側屋根束４２を支持する支持面部７２２と、補強用フレーム部７２３とを備えて構成されている。
【００４７】
取付面部７２１は、例えば、上下方向に沿って形成された略矩形状の板状をなし、上下方向に所定の間隔を空けてボルト８１４ａが挿通される取付用通し孔７２１ａが２つ形成されている（図５（ｂ）参照）。
一方、長小屋パネル３２の長小屋梁３２１ａ（３２１ｂ）の短小屋パネル３１側の端部の外側面にも、ボルト８１４ａが挿通される通し孔（図示略）が２つ形成されている。
そして、取付面部７２１の２つの取付用通し孔７２１ａ、７２１ａが長小屋梁３２１ａの対応する２つの通し孔にそれぞれ重ね合わされ、ボルト８１４ａが取付用通し孔７２１ａ及び通し孔にそれぞれ通されて当該ボルト８１４ａにナット（図示略）がそれぞれ螺合する。このようにして、長小屋パネル３２の長小屋梁３２１ａの外側面に中央側ブラケット７２が締結されている（図５（ｂ）参照）。なお、中央側ブラケット７２の長小屋梁３２１ａの外側面に対する締結は、工場で行われても良いし、建築現場にて行われても良い。
また、取付面部７２１の上端に連続して支持面部７２２が形成されている。
【００４８】
支持面部７２２は、取付面部７２１の上端から当該中央側ブラケット７２が取り付けられる長小屋パネル３２の外側、すなわち、長小屋パネル３２が設置されない長建物ユニット２１２側に略水平に突出するように取付面部７２１の上端に連結されている（図５（ａ）参照）。また、支持面部７２２の上面の高さ位置は、当該中央側ブラケット７２が取り付けられる長小屋梁３２１ａ（３２１ｂ）の上端面の高さ位置と略等しくなっている。
【００４９】
また、支持面部７２２は、水平方向に沿って形成された略矩形状の板状をなし、先端（自由端）部にボルト８１５ａが挿通される束用通し孔７２２ａが形成されている（図５（ａ）参照）。
一方、長小屋パネル３２の長小屋梁３２１ａ（３２１ｂ）の上端面にも、ボルト８１５ａが挿通される束用通し孔３２１ｆが形成されている。
【００５０】
補強用フレーム部７２３は、取付面部７２１及び支持面部７２２の短小屋パネル３１側にて取付面部７２１の外面と支持面部７２２の底面とを連結する板状をなし、取付面部７２１及び支持面部７２２の各々に略直交するように配置されている（図５（ｂ）参照）。また、補強用フレーム部７２３は、長小屋梁３２１ａ（３２１ｂ）の長手方向の端部及び短小屋梁３２１ｄと略面一となるように配設されている。
【００５１】
なお、長小屋パネル３２の短小屋パネル３１側の短小屋梁３２１ｄは、長小屋パネル３２が設置されない長建物ユニット２１２と反対側にて一対の長小屋梁３２１ａ、３２１ｂに架け渡されるように設けられた引張梁を構成している。
【００５２】
上記構成の短小屋パネル３１の中央側ブラケット７２及び長小屋パネル３２の中央側ブラケット７２は、短小屋パネル３１と長小屋パネル３２の水平方向の間隔に応じて所定の間隔を空けて配置されている。これにより、短小屋パネル３１の中央側ブラケット７２と長小屋パネル３２の中央側ブラケット７２との間に、必要に応じて補強梁ＳＢを介在させることが可能となっている（図６（ａ）及び図６（ｂ）参照）。
【００５３】
また、短小屋パネル３１及び長小屋パネル３２の隣り合う長小屋梁どうし３１１ａ、３２１ａ（３１１ｂ、３２１ｂ）、並びに、短小屋パネル３１の中央側ブラケット７２の上面及び長小屋パネル３２の中央側ブラケット７２の上面に跨がるように中央側屋根束４２が取り付けられている。
すなわち、中央側屋根束４２の下端のベース部４２１に、ボルト８１５ａが挿通される通し孔（図示略）が４つ形成されている。
そして、中央側屋根束４２のベース部４２１の４つの通し孔が短小屋パネル３１の中央側ブラケット７２の支持面部７２２の束用通し孔７２２ａ及び長小屋梁３１１ａ（３１１ｂ）の束用通し孔３１１ｆ並びに長小屋パネル３２の中央側ブラケット７２の支持面部７２２の束用通し孔７２２ａ及び長小屋梁３２１ａ（３２１ｂ）の束用通し孔３２１ｆにそれぞれ重ね合わされ、ボルト８１５ａがベース部４２１の通し孔及び支持面部７２２の束用通し孔７２２ａにそれぞれ通されて当該ボルト８１５ａにナット８１５ｂがそれぞれ螺合するとともに、ボルト８１５ａがベース部４２１の通し孔及び長小屋梁３１１ａ、３２１ａの束用通し孔３１１ｆ、３２１ｆにそれぞれ通されて当該ボルト８１５ａにナット８１５ｂがそれぞれ螺合する。このようにして、中央側屋根束４２が、短小屋パネル３１の中央側ブラケット７２の支持面部７２２の上面及び長小屋パネル３２の中央側ブラケット７２の支持面部７２２の上面に跨がるとともに、各中央側ブラケット７２の支持面部７２２の上面及び長小屋梁３１１ａ、３２１ａの上端面に跨がるように締結されている（図５（ｂ）及び図６（ｂ）参照）。
かかる状態にて、中央側ブラケット７２が取り付けられる短小屋パネル３１が設置された短建物ユニット２１１と、この短建物ユニット２１１と隣合う短小屋パネル３１が設置されない短建物ユニット２１１と、中央側ブラケット７２が取り付けられる長小屋パネル３２が設置された長建物ユニット２１２と、この長建物ユニット２１２と隣合う長小屋パネル３２が設置されない長建物ユニット２１２との略中心に、中央側屋根束４２の本体４２２の中心がほぼ重なった状態となる。なお、短小屋パネル３１の中央側ブラケット７２と長小屋パネル３２の中央側ブラケット７２との間に補強梁ＳＢを介在させた場合には、当該補強梁ＳＢの上側に中央側屋根束４２のベース部４２１が載置された状態となる。
【００５４】
次に、外壁側ブラケット７３について、図７（ａ）及び図７（ｂ）を参照して詳細に説明する。
図７（ａ）は、図２の小屋パネル３の破線Ｃで囲まれた部分を示す平面図であり、図７（ｂ）は、図７（ａ）の外壁側ブラケット７３に外壁側屋根束４３が取り付けられた状態を矢印Ｅ方向に視て示す側面図である。
【００５５】
図７（ａ）等に示すように、短小屋パネル３１の外壁側ブラケット７３は、非設置エリアＢに隣接する一対の長小屋梁３１１ａ、３１１ｂの各々のユニット式建物１００の外壁側の端部の外側面に所定の締結手段（例えば、ボルト及びナット）により締結されている。つまり、外壁側ブラケット７３は、短小屋パネル３１の隅部に配置されるようにして長小屋梁（第１梁）３１１ａ、３１１ｂに取り付けられている。
具体的には、外壁側ブラケット７３は、長小屋梁３１１ａ（３１１ｂ）の外側面に取付けられる取付面部７３１と、外壁側屋根束４３を支持する支持面部７３２と、補強用フレーム部７３３とを備えて構成されている。
【００５６】
取付面部７３１は、例えば、上下方向に沿って形成された略矩形状の板状をなし、４つの隅部の各々にボルト（図示略）が挿通される取付用通し孔７３１ａが形成されている（図７（ｂ）参照）。
一方、短小屋パネル３１の長小屋梁３１１ａ（３１１ｂ）の外壁側の端部の外側面にも、ボルトが挿通される通し孔（図示略）が４つ形成されている。
そして、取付面部７３１の４つの取付用通し孔７３１ａ、…が長小屋梁３１１ａ（３１１ｂ）の対応する４つの通し孔にそれぞれ重ね合わされ、ボルトが取付用通し孔７３１ａ及び通し孔にそれぞれ通されて当該ボルトにナット（図示略）がそれぞれ螺合する。このようにして、長小屋梁３１１ａの外側面に外壁側ブラケット７３が締結されている（図７（ａ）参照）。なお、外壁側ブラケット７３の長小屋梁３１１ａの外側面に対する締結は、工場で行われても良いし、建築現場にて行われても良い。
また、取付面部７３１の上端に連続して支持面部７３２が形成されている。
【００５７】
支持面部７３２は、取付面部７３１の上端から当該外壁側ブラケット７３が取り付けられる短小屋パネル３１の外側、すなわち、短小屋パネル３１が設置されない短建物ユニット２１１側に略水平に突出するように取付面部７３１の上端に連結されている（図７（ａ）参照）。また、支持面部７３２の上面の高さ位置は、当該外壁側ブラケット７３が取り付けられる長小屋梁３１１ａ（３１１ｂ）の上端面の高さ位置と略等しくなっている。
【００５８】
また、支持面部７３２は、水平方向に沿って形成された略矩形状の板状をなし、先端（自由端）側の２つの隅部の各々にボルト８１６ａが挿通される束用通し孔７３２ａが形成されている（図７（ａ）参照）。
一方、短小屋パネル３１の長小屋梁３１１ａ（３１１ｂ）の上端面にも、ボルト８１６ａが挿通される束用通し孔３１１ｇが２つ形成されている。また、外壁側屋根束４３の下端のベース部４３１にもボルト８１６ａが挿通される通し孔（図示略）が４つ形成されている。
そして、外壁側屋根束４３のベース部４３１の４つの通し孔が支持面部７３２の２つの束用通し孔７３２ａ、７３２ａ及び長小屋梁３１１ａ（３１１ｂ）の２つの束用通し孔３１１ｇ、３１１ｇにそれぞれ重ね合わされ、ボルト８１６ａがベース部４３１の通し孔及び支持面部７３２の束用通し孔７３２ａにそれぞれ通されて当該ボルト８１６ａにナット８１６ｂがそれぞれ螺合するとともに、ボルト８１６ａがベース部４３１の通し孔及び長小屋梁３１１ａ（３１１ｂ）の束用通し孔３１１ｇにそれぞれ通されて当該ボルト８１６ａにナット８１６ｂがそれぞれ螺合する。このようにして、外壁側屋根束４３が外壁側ブラケット７３の支持面部７３２の上面及び長小屋梁３１１ａの上端面に跨がるように締結されている（図７（ｂ）参照）。
かかる状態にて、当該外壁側ブラケット７３が取り付けられる短小屋パネル３１が設置された短建物ユニット２１１と、この短建物ユニット２１１と隣合う短小屋パネル３１が設置されない短建物ユニット２１１との間隔の略中心に、外壁側屋根束４３の本体４３２の中心がほぼ重なった状態となる。
【００５９】
補強用フレーム部７３３は、取付面部７３１の外面と支持面部７３２の底面とを連結する板状をなし、取付面部７３１及び支持面部７３２の各々に略直交するように配置されている（図７（ｂ）参照）。また、補強用フレーム部７３３は、長小屋梁３１１ａ（３１１ｂ）の長手方向に所定の間隔を空けて２つ配設されている。
【００６０】
なお、短小屋パネル３１のユニット式建物１００の外壁側の短小屋梁３１１ｄは、短小屋パネル３１が設置されない短建物ユニット２１１と反対側にて一対の長小屋梁３１１ａ、３１１ｂに架け渡されるように設けられた引張梁を構成している。
【００６１】
また、長小屋パネル３２にも、上記した短小屋パネル３１の外壁側ブラケット７３と略同等の構成のものが設けられているが、その詳細な説明は省略する。
【００６２】
また、短小屋パネル３１及び長小屋パネル３２の各々における中間梁３３により区切られた部分にて、一対の長小屋梁３１１ａ、３１１ｂ、３２１ａ、３２１ｂの間にブレース３４が配設されている。
すなわち、短小屋パネル３１のユニット式建物１００の外壁側の短小屋梁３１１ｄと中間梁３３とにより区切られた部分及び中間梁３３と短小屋パネル３１の長小屋パネル３２側の短小屋梁３１１ｃとにより区切られた部分の各々にて、それぞれ２つのブレース３４、３４を交差させるようにして一対の長小屋梁３１１ａ、３１１ｂに架け渡されている。つまり、ブレース３４、３４は、短小屋パネル３１を形成する小屋梁３１１と中間梁３３とがなす領域の対角線上に配設されている。
また、長小屋パネル３２のユニット式建物１００の外壁側の短小屋梁３２１ｃと中間梁３３とにより区切られた部分及び中間梁３３と長小屋パネル３２の短小屋パネル３１側の短小屋梁３２１ｄとにより区切られた部分の各々にて、それぞれ２つのブレース３４、３４を交差させるようにして一対の長小屋梁３２１ａ、３２１ｂに架け渡されている。つまり、ブレース３４、３４は、長小屋パネル３２を形成する小屋梁３２１と中間梁３３とがなす領域の対角線上に配設されている。
【００６３】
なお、屋根５は、例えば、所定形状の屋根パネルを所定数組み合わせて構成されている。
【００６４】
以上のように、本実施形態のユニット式建物１００によれば、小屋パネル３（例えば、短小屋パネル３１）には、当該小屋パネル３が設置されない非設置エリアＢに隣接する第１梁（例えば、長小屋梁３１１ａ）の外側面に、屋根束４を支持するためのブラケット７が取り付けられ、屋根束４は、第１梁とブラケット７に跨がって取り付けられているので、複数の建物ユニット２１、…のうちの一部の建物ユニット２１の上に小屋パネル３が設置された構造であっても、屋根束４の取付け位置を全ての建物ユニット２１の上に小屋パネル３が設置された場合や小屋パネル３が全く設置されていない場合に対応する取付け位置から変更する必要がなくなる。
また、第１梁（例えば、長小屋梁３１１ａ）のうちブラケット７が位置する部位と、当該第１梁と対向する第２梁（例えば、長小屋梁３１１ｂ）との間に引張梁（例えば、中間梁３３）が架け渡されているので、引張梁の引張力により屋根束４が非設置エリアＢの建物ユニット２１側に傾いたり小屋パネル３が変形するのを抑制することができる。
このように、複数の建物ユニット２１、…のうちの一部の建物ユニット２１の上に小屋パネル３が設置されたものに対する屋根束４の取付け位置と、上階部２を構成する全ての建物ユニット２１の上に小屋パネル３が設置された場合や小屋パネル３が全く設置されていない場合に対する屋根束４の取付け位置とを共通にすることができ、コストアップを抑制することができる。
【００６５】
また、小屋パネル３は設置エリアＡに複数隣り合って配置され、ブラケット７（例えば、中央側ブラケット７２）は、隣り合う一方の小屋パネル（例えば、短小屋パネル３１）の第１梁（例えば、長小屋梁３１１ａ）の端部と、他方の小屋パネル（例えば、長小屋パネル３２）の第１梁（例えば、長小屋梁３２１ａ）の端部にそれぞれ設けられ、屋根束４は、隣り合う第１梁同士と、双方のブラケット７に跨がって取り付けられているので、隣合う小屋パネル３の各々の第１梁（例えば、長小屋梁３１１ａ、長小屋梁３２１ａ）の端部どうしの上面及び双方のブラケット７（例えば、中央側ブラケット７２）の上面に載置させるように屋根束４を取り付けることができる。また、例えば、隣合う建物ユニット２１、２１間に補強梁ＳＢが設けられた構造に対しても、これら建物ユニット２１の上に設置された隣合う小屋パネル３の各々の第１梁（例えば、長小屋梁３１１ａ、長小屋梁３２１ａ）の端部どうしの上面に跨がり、且つ、双方のブラケット７（例えば、中央側ブラケット７２）の上面に跨がるように屋根束４を適正に取り付けることができる。
【００６６】
また、小屋パネル３の隅部に配置されるようにして第１梁（例えば、長小屋梁３１１ａ）に取り付けられているブラケット７（例えば、外壁側ブラケット７３）に屋根束４（例えば、外壁側屋根束４３）を適正に取り付けることができる。
【００６７】
また、中間梁３３は、第１梁（例えば、長小屋梁３１１ａ）の中間部と第２梁（例えば、長小屋梁３１１ｂ）の中間部との間に架け渡され、小屋パネル３（例えば、短小屋パネル３１）を形成する梁（小屋梁３１１）と中間梁３３とがなす領域の対角線上にブレース３４が配設されているので、ブレース３４の引張力により小屋パネル３の変形を抑制することができる。
【００６８】
なお、本発明は、上記実施形態に限定されることなく、本発明の趣旨を逸脱しない範囲において、種々の改良並びに設計の変更を行っても良い。
例えば、小屋パネル３は、建物ユニット２１の上面に対する高さ方向の位置を調節自在な調節機構９を介して建物ユニット２１に取付けられても良い（図８（ａ）等参照）。
【００６９】
以下に、調節機構９について、図８（ａ）及び図８（ｂ）を参照して詳細に説明する。
図８（ａ）は、ユニット式建物１００に適用された調節機構９により小屋パネル３を第１の高さ位置に配置した状態を概略的に示す図であり、図８（ｂ）は、調節機構９により小屋パネル３を第２の高さ位置に配置した状態を概略的に示す図である。
【００７０】
図８（ａ）及び図８（ｂ）に示すように、調節機構９は、例えば、上階部２を構成する建物ユニット２１の所定位置（例えば、４隅等）に着脱自在なブラケットから構成されている。また、調節機構９は、小屋パネル３の高さ方向の位置を、建物ユニット２１の上面に対して小屋パネル３の下面を相対的に遠ざけた第１の高さ位置（図８（ａ）参照）と、建物ユニット２１の上面に対して小屋パネル３の下面を相対的に近付けて第１の高さ位置よりも低い第２の高さ位置（図８（ｂ）参照）とに調節自在に構成されている。
【００７１】
具体的には、調節機構９は、矩形板状に形成された第一取付板部９１、第二取付板部９２及び仮止め板部９３を有し、これら第一取付板部９１、第二取付板部９２及び仮止め板部９３が一体化されている。そして、調節機構９は、例えば、建物ユニット２１に締結される部分を変化させることで、第１の高さ位置と第２の高さ位置とに調節自在となっている。
【００７２】
第二取付板部９２は、第一取付板部９１に対して垂直に折り曲げられている。すなわち、第二取付板部９２は、第一取付板部９１の短辺に連結されているとともに、第一取付板部９１の短辺から第一取付板部９１に対して直交する方向に延出している。
【００７３】
仮止め板部９３は、第一取付板部９１に対して垂直に折り曲げられている。つまり、仮止め板部９３は、第一取付板部９１の長辺に連結されているとともに、第一取付板部９１の長辺から第一取付板部９１に対して直交する方向に延出している。仮止め板部９３が第一取付板部９１の長辺から延び出る向きは、第二取付板部９２が第一取付板部９１の短辺から延び出る向きと同じである。
【００７４】
第一取付板部９１には、通し孔９１ａ、９１ａが形成されている。通し孔９１ａ、９１ａは、第一取付板部９１の二つの短辺のうち、第二取付板部９２が連結されている短辺の反対側の短辺寄りに形成されている。一方、小屋パネル３の小屋梁３１１（３２１）の側面にも、通し孔３１１ｈ、３１１ｈが形成されている。
そして、小屋パネル３が第１の高さ位置では、通し孔３１１ｈ、３１１ｈが通し孔９１ａ、９１ａにそれぞれ重なり、ボルト８１７ａ、８１７ａが通し孔９１ａ、９１ａ及び通し孔３１１ｈ、３１１ｈにそれぞれ通されて当該ボルト８１７ａ、８１７ａがナット（図示略）にそれぞれ螺合し、ボルト８１７ａ、８１７ａ及びナットによって小屋梁３１１の側面と第一取付板部９１が締結されている（図８（ａ）参照）。
また、第一取付板部９１の長辺が上下方向に延在し、第一取付板部９１が小屋パネル３の小屋梁３１１の下面より下方に延出している。第一取付板部９１が天井梁２１１ａ（２１２ａ）の上面に対して立った状態に設けられ、第二取付板部９２が天井梁２１１ａの上面に伏している。
【００７５】
第二取付板部９２には、通し孔９２ａが形成されている。一方、建物ユニット２１の天井梁２１１ａの上面には、通し孔２１３が形成されている。
そして、小屋パネル３が第１の高さ位置では、通し孔２１３が通し孔９２ａに重なり、ボルト８１８ａが通し孔９２ａ及び通し孔２１３に通されて当該ボルト８１８ａがナット８１８ｂに螺合し、ボルト８１８ａ及びナット８１８ｂによって天井梁２１１ａの上面と第二取付板部９２が締結されている（図８（ａ）参照）。
【００７６】
仮止め板部９３には、通し孔９３ａが形成されている。
そして、小屋パネル３が第１の高さ位置では、仮止め板部９３は天井梁２１１ａの上面に対して立った状態に設けられている（図８（ａ）参照）。
【００７７】
小屋パネル３が第１の高さ位置では、小屋梁３１１の下面が天井梁２１１ａの上面から上に離間している（図８（ａ）参照）。
小屋パネル３及び建物ユニット２１は、一緒に工場から建築現場に輸送される。このとき、小屋パネル３が調節機構９によって建物ユニット２１の上面に本止めされた第１の高さ位置の状態（図８（ａ）参照）で小屋パネル３及び建物ユニット２１が輸送されるのではなく、小屋パネル３が調節機構９によって建物ユニット２１の上に仮止めされた第２の高さ位置の状態（図８（ｂ）参照）で小屋パネル３及び建物ユニット２１が輸送される。
【００７８】
図８（ｂ）に示すように、小屋パネル３が第２の高さ位置では、一方のボルト８１７ａ及びナットによって調節機構９が小屋梁３１１の側面に締結され、他方のボルト８１７ａ及びナットが取り外されている。調節機構９は、天井梁２１１ａの上面に倒伏しているとともに、ボルト８１８ａ及びナット８１８ｂによって天井梁２１１ａの上面に締結されている。
【００７９】
具体的には、第一取付板部９１の短辺が上下方向に延在し、仮止め板部９３が下になり、仮止め板部９３が天井梁２１１ａの上面に伏している。そして、一方の通し孔３１１ｈが一方の通し孔９１ａに重なり、一方のボルト８１７ａが通し孔９１ａ及び通し孔３１１ｈに通されて当該ボルト８１７ａがナットに螺合し、ボルト８１７ａ及びナットによって小屋梁３１１の側面と第一取付板部９１が締結されている。他方の通し孔３１１ｈの位置は、他方の通し孔９１ａからずれた配置となっている。
仮止め板部９３の通し孔９３ａが天井梁２１１ａの通し孔２１３に重なって、ボルト８１８ａが通し孔９３ａ及び通し孔２１３に通されて当該ボルト８１８ａがナット８１８ｂに螺合し、ボルト８１８ａ及びナット８１８ｂによって天井梁２１１ａの上面と仮止め板部９３が締結されている。第二取付板部９２は天井梁２１１ａの上面に対して立った状態に設けられている。
【００８０】
小屋パネル３が第２の高さ位置では、小屋梁３１１の下面と天井梁２１１ａの上面とは高さが揃っている。
【００８１】
従って、小屋パネル３の建物ユニット２１の上面に対する高さ方向の位置を調節自在な調節機構９は、小屋パネル３の高さ方向の位置を、建物ユニット２１の上面に対して小屋パネル３の下面を相対的に遠ざけた第１の高さ位置と、建物ユニット２１の上面に対して小屋パネル３の下面を相対的に近付けて第１の高さ位置よりも低い第２の高さ位置とに調節自在に構成されているので、小屋パネル３の高さ方向の位置を第１の高さ位置よりも低い第２の高さ位置に調節した状態での建物ユニット２１及び小屋パネル３の同便での輸送を実現することができる。すなわち、建物ユニット２１の上面に対して小屋パネル３の下面を相対的に近付けて建物ユニット２１の下面から小屋パネル３の上面までの高さを低くすることにより、建物ユニット２１の下面から小屋パネル３の上面までの高さが輸送上の高さ制限を超えないようにすることができ、これにより、建物ユニット２１及び小屋パネル３を同便で輸送することができ、輸送コストの削減を図ることができる。
【００８２】
なお、調節機構９として、ブラケットから構成されたものを例示したが、一例であってこれに限られるものではなく、小屋パネル３の高さ方向の位置を調節自在な構成であれば適宜任意に変更可能である。
【００８３】
また、上記実施形態では、短小屋パネル３１及び長小屋パネル３２に中間梁３３を設けるようにしたが、必ずしも中間梁３３を設ける必要はない。すなわち、中間梁３３を設けない場合であっても、中央側ブラケット７２に対しては短小屋パネル３１の短小屋梁３１１ｃ及び長小屋パネル３２の短小屋梁３２１ｄによって引張梁が構成され、外壁側ブラケット７３に対しては短小屋パネル３１の短小屋梁３１１ｄ及び長小屋パネル３２の短小屋梁３２１ｃによって引張梁が構成されている。
【００８４】
また、上記実施形態では、小屋パネル３にブレース３４を設けるようにしたが、必ずしもブレース３４を設ける必要はない。
さらに、小屋パネル３にブレース３４を設ける代わりに、当該小屋パネル３が載置されている建物ユニット２１、すなわち、上階部２を構成する６つの建物ユニット２１、…のうち、小屋パネル３が載置されている真ん中の短建物ユニット２１１及び長建物ユニットの天井側にブレースが設けられていても良い。
なお、上階部２を構成する６つの建物ユニット２１、…のうち、小屋パネル３が配設されていない建物ユニット２１の天井側にも、ブレースが設けられていても良い。
【００８５】
また、上記実施形態では、小屋裏空間６が２つの小屋パネル３の全面の上方空間により構成されるようにしたが、一例であってこれに限られるものではなく、例えば、２つの小屋パネル３、３の一部の領域（例えば、中央付近の所定領域等）の上方空間により構成されるようにしても良い。
【符号の説明】
【００８６】
１００    ユニット式建物
１００Ａ  建物本体
１１、２１  建物ユニット
１１１、２１１  短建物ユニット
１１２、２１２  長建物ユニット
３      小屋パネル
３１    短小屋パネル
３２    長小屋パネル
３１１、３２１  小屋梁
３１１ａ、３２１ａ  長小屋梁（第１梁）
３１１ｂ、３２１ｂ  長小屋梁（第２梁）
３１１ｃ、３１１ｄ、３２１ｃ、３２１ｄ  短小屋梁
３３    中間梁
３４    ブレース
４      屋根束
４１    中間屋根束
４２    中央側屋根束
４３    外壁側屋根束
５      屋根
６      小屋裏空間
７      ブラケット
７１    中間ブラケット
７２    中央側ブラケット
７３    外壁側ブラケット
９      調節機構
Ａ      設置エリア
Ｂ      非設置エリア
【図１】
2014224359.tif 000003
【図２】
2014224359.tif 000004
【図３】
2014224359.tif 000005
【図４】
2014224359.tif 000006
【図５】
2014224359.tif 000007
【図６】
2014224359.tif 000008
【図７】
2014224359.tif 000009
【図８】
2014224359.tif 000010